(57)【特許請求の範囲】
【請求項１】
光学系を保持するレンズ鏡筒と、このレンズ鏡筒を収容するケーシングとを具備して成る光学装置であって、前記ケーシングが相対的に移動可能となった２つのケーシング部分から成り、これらケーシング部分に配線ケーブルの両端がそれぞれ連結される光学装置において、
前記配線ケーブルが前記レンズ鏡筒の回りに弛みをもって巻き付けられ、前記ケーシング部分の前記レンズ鏡筒の軸と垂直方向に相互に接離する移動時に伴う前記配線ケーブルの動きが前記レンズ鏡筒回りでの該配線ケーブルの弛み部で吸収されることを特徴とする光学装置。
【請求項２】
請求項１に記載の光学装置において、前記レンズ鏡筒が一対設けられ、この一対のレンズ鏡筒が前記２つのケーシング部分内にそれぞれ収容され、前記配線ケーブルが一対のレンズ鏡筒の一方の側に巻き付けられることを特徴とする光学装置。
【請求項３】
請求項２に記載の光学装置において、双眼鏡としての機能を与えるべく一対の観察光学系が設けられ、この一対の観察光学系の少なくとも一部が前記一対のレンズ鏡筒のそれぞれによって保持され、前記２つのケーシング部分が前記一対の観察光学系の眼幅調整のために相対的に移動させられることを特徴とする光学装置。
【請求項４】
請求項３に記載の光学装置において、前記一対の観察光学系の光軸が所定の平面内で移動するような態様で前記２つのケーシング部分が相対的に平行運動させられ、これにより該一対の観察光学系の眼幅調整が行われることを特徴とする光学装置。
【請求項５】
請求項３または４に記載の光学装置において、前記一対の観察光学系のそれぞれが対物光学系、正立光学系及び接眼光学系から成り、前記対物光学系だけがその該当レンズ鏡筒内に保持され、前記正立光学系及び接眼光学系が合焦のためにその対物光学系に対して前後に移動可能とされることを特徴とする光学装置。
【請求項６】
請求項５に記載の光学装置において、前記一対の観察光学系の合焦のために前記２つのケーシング部分の一方の側には、合焦機構と、この合焦機構を手動操作するための転輪部とが設けられ、その他方ケーシング部分側のレンズ鏡筒に前記配線ケーブルが巻き付けられることを特徴とする光学装置。
【請求項７】
請求項５に記載の光学装置において、前記転輪部が転輪軸筒の周囲拡張部として一体的に形成され、前記転輪軸筒内には撮影光学系が設置されることを特徴とする光学装置。
【請求項８】
請求項５から７までのいずれか１項に記載の光学装置において、前記２つのケーシング部分の一方の側の外方端部側にバッテリが収容され、その他方のケーシング部分の外方端部側に電源回路基板が収容され、前記配線ケーブルが前記バッテリと前記電源回路基板を接続する電源ケーブルであることを特徴とする光学装置。
【請求項９】
請求項１から８までのいずれか１項に記載の光学装置において、前記配線ケーブルが前記レンズ鏡筒の回りで弛みを持つループ状部分として巻き付けられ、前記２つのケーシング部分の相対移動時に前記配線ケーブルの動きが該ループ状部分の径変化で吸収されることを特徴とする光学装置。
【請求項１０】
請求項９に記載の光学装置において、前記配線ケーブルのループ状部分の径が最大となるように前記２つのケーシング部分が相対的に位置させられたとき、該ループ状部分が前記ケーシングの内壁面に当接して変形されることなくそのループ形状を保つことを特徴とする光学装置。
【発明の詳細な説明】
【０００１】
【発明の属する技術分野】
本発明は、適当な光学系を保持するレンズ鏡筒と、このレンズ鏡筒を収容するケーシングとを具備して成る光学装置であって、該ケーシングが相対的に移動可能となった２つのケーシング部分から成り、これらケーシング部分間に配線ケーブルが延設される光学装置に関する。
【０００２】
【従来の技術】
上述したような光学装置の一例としては、例えば、スライド式双眼鏡を挙げることができる。スライド式双眼鏡とは、そのケーシングを左右方向に伸縮するように互いに摺動係合させられた２つのケーシング部分から構成し、各ケーシング部分内に観察光学系を収容するタイプの双眼鏡であって、双方のケーシング部分を互いに相対的に移動させることにより、機能として必要な眼幅調整を行い得るようになった双眼鏡である。このようなスライド式双眼鏡では、本来、電子的制御手段は必要とされないものであるが、しかし該スライド式双眼鏡に自動合焦機能や電子的撮影機能等を附加させた場合には電子的制御手段が搭載されなければならない。
【０００３】
また、本発明が対象とする光学装置の別の例としては、固体撮像素子を用いた電子カメラ所謂デジタルカメラが挙げられる。このような電子カメラについては、携帯時のコンパクト性が重視され、そのケーシングの一部分がケーシング本体部分に対して伸縮するようにされることがある。即ち、携帯時には、デジタルカメラの全体をコンパクトな形態とするためにケーシングの一部分がケーシング本体部分に収納され、一方撮影時には、ケーシングの一部分がケーシング本体部分から引き出されるようになっている。勿論、デジタルカメラにとっては、電子的制御手段は必須なものとなる。
【０００４】
以上で述べたような光学装置にあっては、電子的制御手段の給電のためにバッテリ及び電源回路基板が必須の構成要素となる。詳述すると、電源回路基板上の電源回路は一旦バッテリから給電を受け、次いで該電源回路は電子的制御手段に含まれる個々の電子部品に所定の電圧で給電するようになっている。従って、バッテリと電源回路基板とは通常は互いに接近して配置されるべきであるが、しかし本発明が対象とする光学装置では、その全体の重量バランスと形状のシンメトリーを考慮したとき、バッテリと電源回路基板との双方を互いに接近して配置することは難しい。というのは、バッテリ自体は周知のように比較的重く、また電源回路基板も比較的重量のあるものであるからである。
【０００５】
詳述すると、双眼鏡の場合には、そのケーシングの中央領域は一対の観察光学系の合焦機構が設置されており、一方デジタルカメラの場合では、そのケーシングの中央領域には、撮影光学系及び撮影光学系の駆動機構が設置されているからである。従って、バッテリ及び電源回路基板はケーシングの片側に設置しなければならず、その双方がケーシングの一方の片側だけに設置された場合には、双眼鏡或いはデジタルカメラの全体の重量がその片側だけに偏り、使い勝手の悪いものとなる。そこで双眼鏡或いはデジタルカメラの全体の重量バランスを配慮すると、バッテリ及び電源回路基板はケーシングの両側に離れて配置されなければならいなことになる。
【０００６】
【発明が解決しようとする課題】
ところで、双眼鏡やデジタルカメラ等のケーシングの両側にバッテリ及び電源回路基板が離れて配置された場合には、バッテリと電源回路基板との双方を電源ケーブルで互いに接続することが必要なり、このとき電源ケーブルは互いに相対的に移動可能な２つのケーシング部分間に延設されることになる。かくして、２つのケーシング部分の相対移動を保証するためには、電源ケーブルの長さには十分な余裕を与えることが必要となる。即ち、電源ケーブルには十分な弛みを与え、かつ２つのケーシング部分の相対移動時に電源ケーブルを円滑に追従させることが必要となる。この場合、電源ケーブルの動きが双眼鏡やデジタルカメラ等の内部機構の障害とならないように適正に規制されなければならないが、しかし電源ケーブルの動きの適正な規制のために付加的な規制機構を設けることは双眼鏡やデジタルカメラのコストと大きさを増大化させることになるので望ましくない。
【０００７】
上述した光学装置の例では、バッテリと電源回路基板との関係について説明したが、２つのケーシング部分のそれぞれに制御回路基板を個別に設け得るようになった光学装置もあり、このとき双方の制御回路基板間には信号ケーブルで延設されなければならず、このような場合にも同様な問題が生じることになる。
【０００８】
要するに、適当な光学系を保持するレンズ鏡筒と、このレンズ鏡筒を収容するケーシングとを具備して成る光学装置であって、該ケーシングが相対的に移動可能となった２つのケーシング部分から成り、これらケーシング部分間に電源ケーブルや信号ケーブル等の配線ケーブルが延設される光学装置においては、２つのケーシング部分の相対的移動時に伴う配線ケーブルの動きについて付加的なコストを実質的に懸けることなく適正に規制することが要望される。
【０００９】
従って、本発明の目的は、上述したようなタイプの光学装置であって、２つのケーシング部分の相対的移動時に伴う配線ケーブルの動きについて付加的なコスト無しに適正に規制し得るように構成された光学装置を提供することである。
【００１０】
【課題を解決するための手段】
本発明による光学装置は、適当な光学系を保持するレンズ鏡筒と、このレンズ鏡筒を収容するケーシングとを具備して成り、該ケーシングは相対的に移動可能となった２つのケーシング部分から成り、これらケーシング部分間に配線ケーブルが延設される。本発明によれば、このような光学装置において、配線ケーブルがレンズ鏡筒の回りに弛みをもって巻き付けられ、該ケーシング部分の相対的移動時に伴う配線ケーブルの動きがレンズ鏡筒回りでの該配線ケーブルの弛み部で吸収されることが特徴とされる。
【００１１】
本発明による光学装置では、レンズ鏡筒が一対設けられてもよく、この場合には、一対のレンズ鏡筒は２つのケーシング部分内にそれぞれ収容され、配線ケーブルは一対のレンズ鏡筒の一方の側に巻き付けられる。
【００１２】
レンズ鏡筒が一対設けられる光学装置の代表的な例としては、双眼鏡が挙げられる。この場合には、一対の観察光学系が設けられ、この一対の観察光学系の少なくとも一部が一対のレンズ鏡筒のそれぞれによって保持され、２つのケーシング部分が一対の観察光学系の眼幅調整のために相対的に移動させられる。本発明の好適な一実施形態では、一対の観察光学系の光軸が所定の平面内で移動するような態様で2つのケーシング部分が相対的に平行運動させられ、これにより該一対の観察光学系の眼幅調整が行われる。
【００１３】
本発明による光学装置が双眼鏡として構成される場合、一対の観察光学系のそれぞれは対物光学系、正立光学系及び接眼光学系から構成されてよく、対物光学系だけがその該当レンズ鏡筒内に保持され、正立光学系及び接眼光学系については合焦のためにその対物光学系に対して前後に移動可能とすることができる。この場合には、好ましくは、一対の観察光学系の合焦のために２つのケーシング部分の一方の側には、合焦機構と、この合焦機構を手動操作するための転輪部とが設けられ、その他方ケーシング部分側のレンズ鏡筒に配線ケーブルが巻き付けられる。また、好ましくは、転輪部は転輪軸筒の周囲拡張部として一体的に形成され、このとき該転輪軸筒内には撮影光学系を設置することができる。
【００１４】
本発明による光学装置が双眼鏡として構成される場合、好ましくは、２つのケーシング部分の一方の側の外方端部側にバッテリが収容され、その他方のケーシング部分の外方端部側に電源回路基板が収容され、上述の配線ケーブルについてはバッテリと電源回路基板を接続する電源ケーブルとされる。
【００１５】
本発明によれば、好ましくは、配線ケーブルはレンズ鏡筒の回りで弛みを持つループ状部分として巻き付けられ、２つのケーシング部分の相対移動時に配線ケーブルの動きが該ループ状部分の径変化で吸収される。また、配線ケーブルのループ状部分の径が最大となるように２つのケーシング部分が相対的に位置させられたとき、該ループ状部分がケーシングの内壁面に当接して変形されることなくそのループ形状を保つようにされる。
【００１６】
【発明の実施の形態】
次に、添付図面を参照して、本発明による光学装置の一実施形態について説明する。
【００１７】
先ず、図１を参照すると、本発明による光学装置の内部構造が示され、この光学装置は撮影機能付双眼鏡として構成される。図２を参照すると、図１のII-II線に沿う断面図が示される。本実施形態では、撮影機能付双眼鏡は略直方形を呈するケーシング１０を具備し、このケーシング１０はケーシング本体部分１０Ａと可動ケーシング部分１０Ｂとから成る。
【００１８】
ケーシング１０内には一対の観察光学系１２Ｒ及び１２Ｌが設けられ、この一対の観察光学系１２Ｒ及び１２Ｌは左右対象な構成を有し、それぞれ右眼観察用及び左眼観察用として使用される。右側観察光学系１２Ｒはケーシング本体部分１０Ａ側に組み込まれ、この右側観察光学系１２Ｒには対物レンズ系１３Ｒ、正立プリズム系１４Ｒ及び接眼レンズ系１５Ｒが含まれる。ケーシング本体部分１０Ａの前方壁には観察窓１６Ｒが形成され、この観察窓１６Ｒは右側観察光学系１２Ｒの対物レンズ系１３Ｒと整列させられる。また、左側観察光学系１２Ｌは可動ケーシング部分１０Ｂ側に組み込まれ、この左側観察光学系１２Ｌには対物レンズ系１３Ｌ、正立プリズム系１４Ｌ及び接眼レンズ系１５Ｌが含まれる。可動ケーシング部分１０Ｂの前方壁には観察窓１６Ｌが形成され、この観察窓１６Ｌは左側観察光学系１２Ｌの対物レンズ系１３Ｌと整列させられる。
【００１９】
なお、以下の記載では、説明の便宜上、前方側及び後方側とはそれぞれ撮影機能付双眼鏡の観察光学系（１２Ｒ、１２Ｌ）に対して対物側及び接眼側として定義され、また右方側及び左方側とは撮影機能付双眼鏡の接眼側に向かった際の右方側及び左方側として定義される。
【００２０】
可動ケーシング部分１０Ｂはケーシング本体部分１０Ａから左方側に引き出し得るように該ケーシング本体部分１０Ａに対して摺動自在に係合させられる。即ち、可動ケーシング部分１０Ｂは図１及び図２に示す収納位置と図３及び図４に示す最大引出し位置との間で左右方向に移動自在とされる。可動ケーシング部分１０Ｂとケーシング本体部分１０Ａとの間の摺動係合面には或る程度の摩擦力が働くようになっており、このためケーシング本体部分１０Ａに対して可動ケーシング部分１０Ｂを移動させる際には双方の部分１０Ａ及び１０Ｂ間に所定以上の引出し力或いは押込み力を及ぼすことが必要となる。要するに、可動ケーシング部分１０Ｂはその収納位置（図１及び図２）と最大引出し位置（図３及び図４）との間の任意の位置で摩擦力で留めておくことが可能である。
【００２１】
図１及び図２と図３及び図４との比較から明らかなように、可動ケーシング部分１０Ｂがケーシング本体部分１０Ａから引き出されたとき、左側観察光学系１２Ｌは可動ケーシング部分１０Ｂと共に移動するが、しかし右側観察光学系１２Ｒはケーシング本体部分１０Ａ側に留められる。即ち、可動ケーシング部分１０Ｂをケーシング本体部分１０Ａに対して任意の引出し位置に位置決めすることにより、右側観察光学系１２Ｒの接眼レンズ系１５Ｒと左側観察光学系１２Ｌの接眼レンズ系１５Ｌとの光軸間距離即ち眼幅を調節することが可能である。勿論、可動ケーシング部分１０Ｂがケーシング本体部分１０Ａに対して収納位置に置かれたとき、右側及び左側観察光学系１２Ｒ及び１２Ｌの光軸間距離は最小値となり（図１及び図２）、可動ケーシング部分１０Ｂがケーシング本体部分１０Ａに対して最大引出し位置に置かれたとき、右側及び左側観察光学系１２Ｒ及び１２Ｌの光軸間距離は最大値となる（図３及び図４）。
【００２２】
本実施形態においては、右側観察光学系１２Ｒの対物レンズ系１３Ｒはレンズ鏡筒１７Ｒ内に収容され、このレンズ鏡筒１７Ｒはケーシング本体部分１０Ａに対して固定位置に設置されるが、その正立プリズム系１４Ｒ及び接眼レンズ系１５Ｒは対物レンズ系１３Ｒに対して前後方向に移動可能であり、これにより右側観察光学系１２Ｒの合焦（フォーカシング）が行われる。同様に、左側観察光学系１２Ｌの対物レンズ系１３Ｌはレンズ鏡筒１７Ｌ内に収容され、このレンズ鏡筒１７Ｌは可動ケーシング部分１０Ｂに対して固定位置に設置されるが、その正立プリズム系１４Ｌ及び接眼レンズ系１５Ｌは対物レンズ系１３Ｌに対して前後方向に移動可能であり、これにより左側観察光学系１２Ｌの合焦（フォーカシング）が行われる。
【００２３】
レンズ鏡筒１７Ｒは対物レンズ系１３Ｒを収容する円筒部１８Ｒと、この円筒部１８Ｒの下側に一体的に成形された取付台１９Ｒとから構成される。取付台１９Ｒは円筒部１８Ｒからケーシング１０の中央側に向かって延びる内側取付部１９Ｒ1と、円筒部１８Ｒからケーシング１０の外方側に向かって延びる外側取付部１９Ｒ2とから成なり、内側取付部１９Ｒ1は図2及び図4から明らかなように上下に比較的大きな厚みを持つ側方ブロック部として形成されるのに対して、外側取付部１９Ｒ2は平坦な形態とされる。
【００２４】
同様に、レンズ鏡筒１７Ｌは対物レンズ系１３Ｌを収容する円筒部１８Ｌと、この円筒部１８Ｌの下側に一体的に成形された取付台１９Ｌとから構成される。また、取付台１９Ｌも円筒部１８Ｌからケーシング１０の中央側に向かって延びる内側取付部１９Ｌ1と、円筒部１８Ｌからケーシング１０の外方側に向かって延びる外側取付部１９Ｌ2とから成なり、内側取付部１９Ｌ1は上下に比較的大きな厚みを持つ側方ブロック部として形成されるのに対して、外側取付部１９Ｌ2は平坦な形態とされる。
【００２５】
上述した眼幅調節及び合焦動作を行わせるために、ケーシング１０の底部側には図５に示すような支持板構造体２０が設けられる。なお、図１及び図３では、図示の複雑化を避けるために支持板構造体２０は省かれている。
【００２６】
支持板構造体２０は、ケーシング本体部分１０Ａに対して適宜固定された矩形状固定板２０Ａと、この矩形状固定板２０Ａ上に摺動自在に配置されかつ可動ケーシング部分１０Ｂに対して適宜固定されたスライド板２０Ｂとから成る。スライド板２０Ｂは矩形状固定板２０Ａの前後方向の幅にほぼ等しい幅を持つ矩形状部２２と、この矩形状部２２から右方側に一体的に延在した延在部２４とから成る。対物レンズ系１３Ｒのレンズ鏡筒１７Ｒはその取付台１９Ｒでもって矩形状固定板２０Ａ上の所定位置に固定設置され、対物レンズ系１３Ｌのレンズ鏡筒１７Ｌはその取付台１９Ｌでもってスライド板２０Ｂの矩形状部２２上の所定位置に固定設置させられる。なお、図５では、レンズ鏡筒１７Ｒの取付台１９Ｒの固定箇所が二点鎖線２５Ｒで囲まれた領域として示され、レンズ鏡筒１７Ｌの取付台１９Ｌの固定箇所が二点鎖線２５Ｌで囲まれた領域として示される。
【００２７】
スライド板２０Ｂの矩形状部２２には一対の案内スロット２６が形成され、またその延在部２４には案内スロット２７が形成される。一方、固定板２０Ａには、一対の案内スロット２６に摺動自在に受け入れるようになった一対の案内ピン２６′と、案内スロット２７に摺動自在に受け入れるようになった案内ピン２７′とが植設される。各案内スロット（２６、２７）は左右方向に同じ長さだけ延び、その長さはケーシング本体部分１０Ａに対する可動ケーシング部分１０Ｂの移動距離、即ち可動ケーシング部分１０Ｂの収納位置（図１及び図２）と可動ケーシング部分１０Ｂの最大引出し位置（図３及び図４）との間の距離に対応する。
【００２８】
図２及び図４から明らかなように、支持板構造体２０はケーシング１０内にその底部から適当な間隔を空けて設置され、このとき矩形状固定板２０Ａはケーシング本体部分１０Ａ側に適宜固定され、またスライド板２０Ｂは可動ケーシング部分１０Ｂ側に適宜固定される。なお、図示の実施形態では、可動ケーシング部分１０Ｂに対するスライド板２０Ｂの固定のために、その矩形状部２２の左辺縁の一部に沿って取付片２８が設けられ、この取付片２８が可動ケーシング部分１０Ｂの仕切り壁２９に適宜固着される。
【００２９】
図６及び図７を参照すると、右側観察光学系１２Ｒの正立プリズム系１４Ｒを搭載するための右側マウント板３０Ｒと、左側観察光学系１２Ｌの正立プリズム系１４Ｌを搭載するための左側マウント板３０Ｌが示される。右側マウント板３０Ｒ及び左側マウント板３０Ｌのそれぞれの後方側縁辺に沿って直立板３２Ｒ及び３２Ｌが設けられる。図１及び図３から明らかなようにに、右側直立板３２Ｒは右側接眼レンズ系１５Ｒの取付座として用いられ、左側直立板３２Ｌは左側接眼レンズ系１５Ｌの取付座として用いられる。
【００３０】
図６及び図７に示すように、右側マウント板３０Ｒの底面にはその右側縁辺のほぼ中央に沿って案内シュー３４Ｒが固着され、この案内シュー３４Ｒには矩形状固定板２０Ａの右側端縁を摺動自在に受け入れる溝３６Ｒが形成される（図７）。同様に、左側マウント板３０Ｌの底面にはその左側縁辺のほぼ中央に沿って案内シュー３４Ｌが固着され、この案内シュー３４Ｌにはスライド板２０Ｂの左側端縁を摺動自在に受け入れる溝３６Ｌが形成される（図７）。
【００３１】
なお、図７は図６のVII-VII線に沿う矢視立面図とされるので、図７には支持板構造体２０については図示されるべきではないが、しかし説明の便宜上、図７では支持板構造体２０が図５のVII-VII線に沿う断面図として図示され、また案内シュー３４Ｒ及び３４Ｌも同様な断面図として図示される。
【００３２】
図６及び図７に示すように、右側マウント板３０Ｒの左側縁辺に沿って側壁３８Ｒが設けられ、この側壁３８Ｒの底部側は肥大部４０Ｒとして形成され、この肥大部４０Ｒには案内ロッド４２Ｒを摺動自在に挿通させるボアが形成される。案内ロッド４２Ｒの前方端部はレンズ鏡筒１７Ｒの取付台１９Ｒの内側取付部即ち側方ブロック部１９Ｒ1に形成された孔４３Ｒに挿通させられて適宜固定保持され、一方案内ロッド４２Ｒの後方端部は矩形状固定板２０Ａの後方縁辺側に一体的に形成された直立支持片４４Ｒに形成された孔４５Ｒに挿通させられて適宜固定保持される。なお、図５では、直立支持片４４Ｒはその孔４５Ｒが見えるように横断面で図示され、また図１及び図３では、直立支持片４４Ｒはその孔４５Ｒに案内ロッド４２Ｒの後方端部を挿通させた状態で図示されている。
【００３３】
同様に、左側マウント板３０Ｌの右側縁辺に沿って側壁３８Ｌが設けられ、この側壁３８Ｌの底部側は肥大部４０Ｌとして形成され、この肥大部４０Ｌには案内ロッド４２Ｌを摺動自在に挿通させるボアが形成される。案内ロッド４２Ｌの前方端部はレンズ鏡筒１７Ｌの取付台１９Ｌの内側取付部即ち側方ブロック部１９Ｌ1に形成された孔４３Ｌに挿通させられて適宜固定保持され、一方案内ロッド４２Ｌの後方端部はスライド板２０Ｂの矩形状部２２の後方縁辺側に一体的に形成された直立支持片４４Ｌに形成された孔４５Ｌに挿通させられて適宜固定保持される。なお、直立支持片４４Ｒの場合と同様に、図５では、直立支持片４４Ｌはその孔４５Ｌが見えるように横断面で図示され、また図１及び図３では、直立支持片４４Ｌはその孔４５Ｌに案内ロッド４２Ｌの後方端部を挿通させた状態で図示されている。
【００３４】
右側観察光学系１２Ｒの対物レンズ系１３Ｒは右側マウント板３０Ｒの前方側に配置されているので、右側マウント板３０Ｒを案内ロッド４２Ｒに沿って前後に移動させることにより、対物レンズ系１３Ｒと正立プリズム系１４Ｒとの距離が調節させられ、このため右側観察光学系１２Ｒの合焦動作が行われることになる。同様に、左側観察光学系１２Ｌの対物レンズ系１３Ｌは左側マウント板３０Ｌの前方側に配置されているので、左側マウント板３０Ｌを案内ロッド４２Ｌに沿って前後に移動させることにより、対物レンズ系１３Ｌと正立プリズム系１４Ｌとの距離が調節させられ、このため左側観察光学系１２Ｌの合焦動作が行われることになる。
【００３５】
右側マウント板３０Ｒ及び左側マウント板３０Ｌをそれぞれの案内ロッド４２Ｒ及び４２Ｌに沿って同期して移動させると共に右側マウント板３０Ｒに対する左側マウント板３０Ｌの左右方向の移動を許容させるために、図６に最もよく示すように、右側マウント板３０Ｒ及び左側マウント板３０Ｌは伸縮自在の連結手段４６によって互いに連結させられる。
【００３６】
詳述すると、本実施形態では、連結手段４６は、右側マウント板３０Ｒの側壁４０Ｒの肥大部４２Ｒの前方端部から左方側に延びた横断面矩形状のロッド部材４６Ａと、このロッド部材４６Ａを摺動自在に受け入れる二股部材４６Ｂとから成る。ロッド部材４６Ａ及び二股部材４６Ｂの長さについては、可動ケーシング部分１０Ｂが収納位置（図１及び図２）から最大引出し位置（図３及び図４）まで引き出された際にもロッド部材４６Ａと二股部材４６Ｂとの摺動係合が維持される。かくして、可動ケーシング部分１０Ｂがケーシング本体部分１０Ａに対してどのような引出し位置にあっても、右側マウント板３０Ｒ及び左側マウント板３０Ｌはそれぞれの案内ロッド４２Ｒ及び４２Ｌに沿って同期して移動することができる。なお、ロッド部材４６Ａには横断面矩形状の孔４７が形成されるが、この孔４７の機能については後で説明する。
【００３７】
図８を参照すると、図１のVIII-VIII線に沿って切断された縦断面図が示される。図２、図４及び図８から明らかなように、ケーシング１０内には内部フレーム構造４８が設けられ、この内部フレーム４８構造はケーシング本体部分１０Ａと矩形状固定板２０Ａとに対して適宜固定される。内部フレーム構造４８は中央本体部分４８Ｃと、この中央本体部分４８Ｃから右方に一体的に張り出した右側翼状部分４８Ｒと、この右側翼状部分４８Ｒの右縁辺に沿って一体的に吊下した吊下壁部分４８Ｓと、中央本体部分４８Ｃから左方に一体的に張り出した左側翼状部分４８Ｌとから成る。
【００３８】
図８に示すように、中央本体部分４８Ｃの前方端部にはボア５０が形成され、このボア５０はケーシング本体部分１０Ａの前方壁部に形成された円形窓５１に整列させられる。また、中央本体部分４８Ｃには該ボア５０の後方側に略Ｕ字形横断面形状の窪み部５２が形成され、この窪み部５２の底部には矩形状開口部５４が形成される。ケーシング本体部分１０Ａの頂部壁には窪み部５２を露出するようになった開口部が形成され、この開口部は取外し自在の開閉板５５によって閉鎖される。
【００３９】
閉鎖板５５が取り外されている状態で窪み部５２内には筒状組立体５６は組み付けられる。筒状組立体５６は転輪軸筒５７と、この転輪軸筒５７内に同心状に配置されたレンズ鏡筒５８とから成る。転輪軸筒５７は窪み部５２内で回転自在に保持され、一方レンズ鏡筒５８は後述するように非回転状態に維持されるが、しかしその中心軸線に沿って移動自在とされる。筒状組立体５６の組付後、開閉板５５は例えば窪み部５２を塞ぐようにねじ止めされる。転輪軸筒５７にはその周囲拡張部として転輪部６０が形成され、この転輪部６０は開閉板５５に形成された開口部６２を通してケーシング本体部分１０Ａの頂部壁で外部に露出させられる。
【００４０】
転輪軸筒５７の周囲にはヘリコイドねじ６４が切られ、このヘリコイドねじ６４には環状体６６が螺着される。即ち、環状体６６の内側壁面には転輪軸筒５７のヘリコイドねじ６４に係合するようになった複数の突起要素が等間隔に適宜配置され、環状体６６はそれら突起要素でもって転輪軸筒５７のヘリコイドねじ６４に螺着される。環状体６６の外周面の一部には平坦面が形成され、この平坦面は開閉板５５の内側壁面に摺動自在に係合させられる。即ち、転輪軸筒５７が回転させられたとき、環状体６６はその平坦面と開閉板５５の内側壁面との係合のために転輪軸筒５７と連れ回ることなく非回転自体に維持される。かくして、転輪軸筒５７が回転させられると、環状体６６はその内側壁面の突起要素とヘリコイドねじねじ６４との係合のために転輪軸筒５７の長手方向中心軸線に沿って移動させられ、その移動方向は転輪軸筒５７の回転方向によって決まる。
【００４１】
環状体６６からは舌状片６７が突出させられ、この舌状片６７は該環状体６６の平坦面に対して直径に位置させられる。図８に最もよく図示するように、内部フレーム構造４８の中央本体部分４８Ｃの矩形状開口部５４から突出させられて連結手段４６のロッド部材４６Ａの孔４７に挿入させられる。従って、撮影機能付双眼鏡の観察者が例えば人指し指によって転輪部６０の露出部に触れて転輪軸筒５７が回転させられると、環状体６６は上述したように転輪軸筒５７の転輪軸筒５７の長手方向中心軸線に沿って移動させられ、かくしてマウント板３０Ｒ及び３０Ｌが一対の観察光学系１２Ｒ及び１２Ｌの光軸に沿って移動させられることになる。要するに、転輪部６０の回転運動が各観察光学系（１２Ｒ、１２Ｌ）の正立プリズム系（１４Ｒ、１４Ｌ）と接眼レンズ系（１５Ｒ、１５Ｌ）との直線運動に変換させられ、これにより該観察光学系（１２Ｒ、１２Ｌ）の合焦が行われることとなる。
【００４２】
本実施形態では、各観察光学系１２Ｒ及び１２Ｌについては、例えば、正立プリズム系（１４Ｒ、１４Ｌ）と接眼レンズ系（１５Ｒ、１５Ｌ）とがその対物レンズ系（１３Ｒ、１３Ｌ）に最も接近したときに40メール先から無限遠までの観察対象物の合焦が得られるようなレンズ設計とされ、２メートル先から40メートル先までの観察対象物を観察するとき、転輪部６０の回転により正立プリズム系と接眼レンズ系とを対物レンズ系から引き離して観察対象物の合焦が行われる。勿論、正立プリズム系がそれぞれ対物レンズ系から最大距離まで引き離されたとき、２メートル先の観察対象物について合焦が得られることになる。
【００４３】
転輪軸筒５７内に同心状に配置されたレンズ鏡筒５８内には撮影光学系６８が保持され、この撮影光学系６８は第１のレンズ群６８Ａと第２のレンズ群６８Ｂとから構成される。一方、ケーシング本体部分１０Ａの後方側壁部の内側壁面には回路基板７０が取り付けられ、この回路基板７０上には固体撮像素子例えばＣＣＤ(charge-coupled device)撮像素子７２が搭載され、このＣＣＤ撮像素子７２はその受光面が撮影光学系６８と整列するように配置される。内部フレーム構造４８の中央本体部分４８Ｃの後方側端部には撮影光学系６８の光軸に沿って整列させられた開口部が形成され、この開口部には光学的ローパスフィルタ７４が装着される。要するに、本実施形態では、撮影機能付双眼鏡には所謂デジタルカメラとしての撮影機能が与えられ、被写体は撮影光学系６８によって光学的ローパスフィルタ７４を通してＣＣＤ撮像素子７２の受光面に結像させられる。
【００４４】
図１ないし図４では、撮影光学系６８の光軸は参照符号ＯＳで示され、また右側及び左側観察光学系１２Ｒ及び１２Ｌのそれぞれの光軸が参照符号ＯＲ及びＯＬで示される。勿論、右側及び左側観察光学系１２Ｒ及び１２Ｌの光軸ＯＲ及びＯＬは互いに平行であり、しかも撮影光学系６８の光軸ＯＳとも平行である。図２及び図４に示すように、右側及び左側観察光学系１２Ｒ及び１２Ｌの光軸ＯＲ及びＯＬはいずれも撮影光学系６８の光軸ＯＳに平行な平面Ｐ内にあり、右側及び左側観察光学系１２Ｒ及び１２Ｌは該平面Ｐに対して平行に移動することによりその光軸間距離即ち眼幅の調節がなされる。
【００４５】
ところで、撮影光学系６８が適当な距離の近景被写体から無限遠の遠景被写体までの合焦が得られるようなレンズ設計とされ、しかもその合焦可能範囲内だけで撮影を行うことが前提とされている場合には、レンズ鏡筒５８に合焦機構を組み込むことは必要とされない。しかしながら、本発明による撮影機能付双眼鏡を通常のデジタルカメラの場合と同様に、例えば２メール先の近景被写体についても撮影することが望まれる場合には、レンズ鏡筒５８にも合焦機構を組み込むことが必要となる。
【００４６】
そこで、本実施形態では、転輪軸筒５７の内周壁面には雌ねじが形成され、一方レンズ鏡筒５８の外周壁面には雄ねじが形成され、これによりレンズ鏡筒５８は転輪軸筒５７内で螺着される。レンズ鏡筒５８の前方端部はボア５０内に挿入させられ、該前方端部の底部側には図８に示すようにキー溝７６が形成され、キー溝７６はレンズ鏡筒５８の前方端縁からその長手軸線方向に沿って所定長さだけ延びる。一方、内部フレーム構造４８の前方側端部の底部には孔が形成され、該孔にはキー溝７６に係合するようになったピン要素７８が植設される。要するに、キー溝７６とピン要素７８との係合により、レンズ鏡筒５８の回転が阻止される。
【００４７】
かくして、転輪軸筒５７がその転輪部６０の操作により回転させられると、レンズ鏡筒５８はその光軸に沿って移動させられる。即ち、転輪軸筒５７の内周壁面に形成された雌ねじとレンズ鏡筒５８の外周壁面に形成された雄ねじとは該転輪軸筒５７の回転運動をレンズ鏡筒５８の直線運動に変換するための運動変換機能を形成し、この運動変換機構はレンズ鏡筒５８の合焦機構として機能させられる。
【００４８】
転輪軸筒５７の外周壁面に形成されるヘリコイドねじ６４とその内周壁面に形成される雌ねじとは互いに逆向きとされ、このため転輪軸筒５７が光学プリズム系（１４Ｒ、１４Ｌ）と接眼レンズ系（１５Ｒ、１５Ｌ）とをそれぞれ対物レンズ系（１３Ｒ、１３Ｌ）から引き離すように回転させられたとき、レンズ鏡筒５８はＣＣＤ撮像素子７２から遠のくように移動させられ、かくして上述の合焦可能範囲から外れた前景被写体がＣＣＤ撮像素子７２の受光面に合焦された状態で結像される。勿論、転輪軸筒５７の外周壁面のヘリコイドねじ６４のピッチ及びその内周壁面の雌ねじのピッチのそれぞれについては、一対の観察光学系１２Ｒ及び１２Ｌの光学特性及び撮影光学系６８の光学特性に応じて異なったものとされる。
【００４９】
図１ないし図４に示すように、ケーシング本体部分１０Ａの右側端部内には電源回路基板８０が設けられ、この電源回路基板８０はケーシング本体部分１０Ａに対して適宜保持される。図示はされなが、電源回路基板８０には変圧トランス等が搭載されるためにその全体重量は比較的重いものとなる。図２、図４及び図８に示すように、ケーシング本体部分１０Ａの底部壁と支持板構造体２０との間には主制御回路基板８２が設けられ、この主制御回路基板８２はケーシング本体部分１０Ａの底部壁によって適宜支持される。主制御回路基板８２にはマイクロコンピュータやメモリ等の電子部品が搭載され、ＣＣＤ搭載用回路基板７０及び電源回路基板８０は平坦なフレキシブル配線コード（図示されない）を介して主制御回路基板８２に適宜接続される。
【００５０】
本実施形態では、図２、図４及び図８に示すように、ケーシング本体部分１０Ａの頂部壁の外側壁面にはＬＣＤ(liquid crystal display)表示器８４が配置され、このＬＣＤ表示８４は平坦な矩形状を呈する。ＬＣＤ表示器８４はその一方の対向側辺が撮影光学系６８の光軸に対して直角となるように配置され、しかもその前方側縁辺に沿う回動軸８６のまわりで回動自在とされる。ＬＣＤ表示器８４は通常は図８に実線で示す収納位置に置かれ、このときＬＣＤ表示器８４の液晶表示画面はケーシング本体部分１０Ａの頂部壁の上側壁面に対して直接対向しかつ平行となるような姿勢とされるので、その液晶表示画面は見ることはできない。ＣＣＤ撮像素子７２によって撮影作動が行われるとき、ＬＣＤ表示器８４はその収納位置から図８で破線で部分的に示すような表示位置まで手動操作により回動させられ、このときＬＣＤ表示器８４の液晶表示画面が接眼レンズ系１５Ｒ及び１５Ｌの側から見ることができるようになっている。
【００５１】
先に述べたように、可動ケーシング部分１０Ｂの左側端部内は仕切り壁２９によって仕切られ、その内部はバッテリ室８８として使用される。図２及び図４に示すように、バッテリ室８８の底部側には開閉蓋９０が設けられ、この開閉蓋９０を開けることにより、バッテリ室８８へのバッテリ９２の充填或いはそこからのバッテリ９２の取出しが行われる。なお、開閉蓋９０は可動ケーシング部分１０Ｂの一部を成し、適当な係止手段によって図２及び図４に示すような閉鎖位置に保持される。
【００５２】
上述したように、電源回路基板８０は比較的重量のあるものであり、これに対してバッテリ９２自体も比較的重量のあるものである。本実施形態では、このように比較的重量のある２つのものがケーシング１０の両端側にそれぞれ配置されるので、撮影機能付双眼鏡の全体の重量バランスが良好なものとなる。
【００５３】
図１及び図３に最もよく図示するように、バッテリ室８８には２つの電極板９４及び９６が前後方向に設けられ、２つのバッテリ９２は２つの電極板９４及び９６間で電極を交互にして充填されて並列に配置される。電極板９４はそれ自体が導体として形成され、２つのバッテリ９２の並列された正極と負極とを接続して、2つのバッテリ９２を直列接続させるために使用される。一方、電極板９６はそれ自体は絶縁材料から形成され、図２及び図４に示すように、２つの導体切片９６Ａ及び９６Ｂを備える。導体切片９６Ａは上側のバッテリ９２の負極に接触させられ、導体切片９６Ｂは下側のバッテリ９２の正極に接触させられる。
【００５４】
バッテリ９２から電源回路基板８０への給電はその間に延設された電源ケーブル９８によって行われる。詳述すると、図２及び図４から明らかなように、電源ケーブル９８は2本のリード線９８Ａ及び９８Ｂを束ねて絶縁被覆したものとして形成され、リード線９８Ａ及び９８Ｂはそれぞれ導体切片９６Ａ及び９６Ｂに例えば半田付けされる。
【００５５】
図１及び図３に最もよく示すように、電源ケーブル９８は先ず仕切り板２９を貫通させられ、次いで該仕切り板２９に沿って前方側に向かって延在させられる。続いて、電源ケーブル９８は右方側に向けられて対物レンズ系１３Ｌのレンズ鏡筒１７Ｌに弛みをもって巻き付けられ、その後内部フレーム構造４８の中央本体部分４８Ｃと対物レンズ１３Ｒのレンズ鏡筒１７Ｒとの下側を抜けて電源回路基板８０上のコネクタ１００に接続される。電源回路基板８０が電源ケーブル９８介してバッテリ９２から給電を受けると、電源回路基板８０はＣＣＤ搭載用回路基板７０上のＣＣＤ撮像素子７２、主制御回路基板８２上のマイクロコンピュータやメモリ等の電子部品及びＬＣＤ表示器８４のそれぞれに対して所定の電圧で給電を行う。
【００５６】
ところで、眼幅調整のために、可動ケーシング部分１０Ｂがケーシング本体部分１０Ａに対して相対的に移動させられるとき、そのような相対的移動を保証するためには、電源ケーブル９８の長さには十分な余裕を与えることが必要であり、その余裕分として、本実施形態では、電源ケーブル９８が対物レンズ系１３Ｌのレンズ鏡筒１７Ｌに弛みをもってループ状に巻き付けられる。
【００５７】
図１及び図２と図３及び図４との比較から明らかなように、可動ケーシング部分１０Ｂがケーシング本体部分１０Ａに対して収納位置に置かれているとき（図１及び図２）、電源ケーブル９８はレンズ鏡筒１７Ｌの周囲に十分な弛みを持ってループ状に巻き付けられた状態とされる。レンズ鏡筒１７Ｌの周囲に巻回されたループ状部分の寸法については、双眼鏡の厚み方向の空間寸法よりも若干小さく、電源ケーブル９８はケーシング１０の内壁面に当接しない状態でほぼ該ケーシングの厚み方向の空間寸法と同じとされ、このため該ループ部分はケーシング１０の内壁面から外力を受けて変形されることなくほぼ円形を呈する。即ち、眼幅調整のために必要とされる電源ケーブル９８の増大長さ部分は鋭角に折り曲げられることなくループ状にレンズ鏡筒１７Ｌの周囲全体に蓄えられる。
【００５８】
また、電源ケーブル９８のループ状部分にはビニール被覆材等の弾性変形力のために常にその径を広げさせるような弾性的復元力が働き、このため特別な付勢手段や案内手段を設けなくても可動ケーシング部分１０Ｂの収容位置と最大引出し位置との間での移動時に該ループ部分はレンズ鏡筒１７Ｌの回りに常に位置させられることになる。即ち、電源ケーブル９８のループ状部分は可動ケーシング部分１０Ｂがケーシング本体部分１０Ａから最大引出し位置まで移動させられるとき（図３及び図４）、ループ状部分はそのループ形状を保った儘でその径が徐々に小さくなってレンズ鏡筒１７Ｌの周囲で絞られる。逆に、可動ケーシング部分１０Ｂが最大引出し位置から収納位置へ移動させられるときは、電源ケーブル９８のループ状部分はそのループ形状を保った儘でその径が徐々に大きくされる。
【００５９】
要するに、ケーシング本体部分１０Ａに対する可動ケーシング部分１０Ｂの相対的移動時に伴う電源ケーブル９８の動きについては、レンズ鏡筒１７Ｌの周囲での該電源ケーブル９８の弛み部、即ちループ状部分の径寸法変化ですべて吸収され、このため電源ケーブル９８は妄りに動き回ることはなく、その動きはレンズ鏡筒１７Ｌ周りのみに規制された状態に置かれるので、主制御回路基板８２上の種々の電子部品やケーシング１０内の種々の機構が障害を受け得る可能性は排除される。また、電源ケーブル９８のループ状部分はほぼ円形となっているので、該ループ状部分は可動ケーシング部分１０Ｂの動きに円滑に追従できる。
【００６０】
図１ないし図４に示すように、電源回路基板８０には適当な外部接続コネクタとして例えばビデオ出力端子コネクタ出力１０２を設けることが可能であり、ビデオ出力端子コネクタ１０２に外部コネクタを接続させるためにケーシング本体部分１０Ａの前方壁部には孔１０４が形成される。また、図２及び図３に示すように、ケーシング本体部分１０Ａの底部には主制御回路基板８２の下側にＣＦカードホルダ１０６を設けてもよく、このＣＦカードホルダ１０６にはＣＦカードがメモリカードとして抜差し自在に挿入し得るようになっている。
【００６１】
上述の実施形態では、電源ケーブル９８は左側のレンズ鏡筒１７Ｌの周囲に巻き付けられているが、左側のレンズ鏡筒１７Ｌの周囲に巻き付ける代わりに右側のレンズ鏡筒１７Ｒに巻き付けてもよい。また、電源ケーブル９８を双方のレンズ鏡筒１７Ｒ及び１７Ｌの周囲に巻き付けることも可能であり、この場合には電源ケーブル９８の弛み量は双方のレンズ鏡筒１７Ｒ及び１７Ｌで分け合うことになる。
【００６２】
また、上述の実施形態では、光学装置の一例として、撮影機能付双眼鏡が取り上げられたが、その他の光学装置、例えばケーシングの一部が可動となったデジタルカメラにも本発明を適用することが可能であり、その場合には、ケーシング本体部分と可動ケーシング部分との間に延在する電源ケーブルや信号ケーブル等の配線ケーブルはデジタルカメラの撮影光学系用のレンズ鏡筒に巻き付けられることになる。
【００６３】
【発明の効果】
以上の記載から明らかなように、本発明による光学装置にあっては、互いに相対的に移動可能な２つのケーシング部分間に延在する電源ケーブル等の配線ケーブルはレンズ鏡筒に弛みをもって巻き付け、これにより２つのケーシング部分の相対的移動時に伴う配線ケーブルの動きが該レンズ鏡筒回りでの配線ケーブルの弛みで吸収されて規制されるので、配線ケーブルの動きを規制するための付加的な規制手段が必要とされない。換言すれば、配線ケーブルの動きを規制するための付加的なコストは必要とされない。
【図面の簡単な説明】
【図１】本発明による撮影機能付双眼鏡の一実施形態を示す水平断面図であって、その可動ケーシング部分を収納位置で示す図である。
【図２】図１のII-II線に沿う断面図である。
【図３】図１と同様な水平断面図であって、可動ケーシング部分を最大引出し位置で示す図である。
【図４】図２の同様な断面図であって、可動ケーシング部分を最大引出し位置で示す図である。
【図５】撮影機能付双眼鏡のケーシング内に設けられる支持板構造体の平面図である。
【図６】図５に示す支持板構造体上に設置される右側マウント板及び左側マウント板の平面図である。
【図７】図６のVII-VII線に沿う矢視立面図である。
【図８】図１のVIII-VIII線に沿う縦断面図である。
【符号の説明】
１０  ケーシング
１０Ａ  ケーシング本体部分
１０Ｂ  可動ケーシング部分
１２Ｒ  右側観察光学系
１２Ｌ  左側観察光学系
２０  支持板構造体
２０Ａ  矩形状固定板
２０Ｂ  スライド板
２９  仕切り壁
３０Ｒ  右側マウント板
３０Ｌ  左側マウント板
４６  連結手段
４６Ａ  ロッド部材
４６Ｂ  二股部材
４８  内部フレーム構造
４８Ｃ  中央本体部分
５２  窪み部
５５  開閉板
５６  筒状組立体
５７  転輪軸筒
５８  レンズ鏡筒
６０  転輪部
６６  環状体
６８  撮影光学系
７０  ＣＣＤ搭載用回路基板
７２  ＣＣＤ撮像素子
７４  光学的ローパスフィルタ
８０  電源回路基板
８２  主制御回路基板
８４  ＬＣＤ表示器
８８  バッテリ室
９０  開閉蓋
９２  バッテリ
９４・９６  電極板
９８  電源ケーブル
【図１】
0003843034.tif 000002
【図２】
0003843034.tif 000003
【図３】
0003843034.tif 000004
【図４】
0003843034.tif 000005
【図５】
0003843034.tif 000006
【図６】
0003843034.tif 000007
【図７】
0003843034.tif 000008
【図８】
0003843034.tif 000009